(57)【要約】【課題】顔をパックするために使用するフェイスマスクに関し、化粧液を含浸させたフェイスマスクのシートが折り畳まれて密着状態にされて包装袋に収納されているにもかかわらず、包装袋を開封した後に、密着状態に折り畳まれたシートを展開する作業を従来に比べて著しく容易に行うことができるフェイスマスクを提供することを課題とする。【解決手段】シート状のフェイスマスク本体が折り畳まれた状態で包装袋内に収容されて構成されたフェイスマスクにおいて、前記フェイスマスク本体の一端側が前記包装袋に固定して取り付けられ、前記フェイスマスク本体の他端側を前記包装袋の外側方向に引っ張ることによって、前記折り畳まれた状態のフェイスマスク本体が展開可能となるように構成されていることを特徴とする。【選択図】図１
2009189612.tif 000002
【特許請求の範囲】
【請求項１】
シート状のフェイスマスク本体（１）が折り畳まれた状態で包装袋（２）内に収容されて構成されたフェイスマスクにおいて、前記フェイスマスク本体（１）の一端側が前記包装袋（２）に固定して取り付けられ、前記フェイスマスク本体（１）の他端側を前記包装袋（２）の外側方向に引っ張ることによって、前記折り畳まれた状態のフェイスマスク本体（１）が展開可能となるように構成されていることを特徴とするフェイスマスク。
【請求項２】
フェイスマスク本体（１）を包装袋（２）の外側方向に引っ張る際に把持するための把持片（７）が、前記フェイスマスク本体（１）の他端側に設けられている請求項１記載のフェイスマスク。
【請求項３】
フェイスマスク本体（１）の一端側にシール片（６）が設けられ、該シール片（６）が包装袋（２）の表片（２ａ）又は裏片（２ａ）の少なくともいずれか一方にシールされることによって、前記フェイスマスク本体（１）の一端側が前記包装袋（２）に固定して取り付けられている請求項１又は２記載のフェイスマスク。
【請求項４】
フェイスマスク本体（１）のマスク主部（５）が、ミシン目（９）を介してシール片（６）に分断可能に連設されている請求項３記載のフェイスマスク。
【請求項５】
フェイスマスク本体（１）のマスク主部（５）が、包装袋（２）の外側に引き出された際に、ミシン目（９）が前記包装袋（２）の外側に裸出しうるように構成されている請求項４記載のフェイスマスク。
【請求項６】
フェイスマスク本体（１）の一端側に紐材（１３）が設けられ、該紐材（１３）の一端部（１３ａ）が、包装袋（２）の表片（２ａ）と裏片（２ａ）とがシールされているシール部（３）において該表片（２ａ）と裏片（２ａ）間に挟着されることによって、前記フェイスマスク本体（１）の一端側が前記包装袋（２）に固定して取り付けられている請求項１又は２記載のフェイスマスク。
【請求項７】
フェイスマスク本体（１）のマスク主部（５）に補助片（１２）を介して紐材（１３）の他端部（１３ｂ）が取り付けられ、フェイスマスク本体（１）の他端側を包装袋（２）の外側方向に引っ張る際に、該紐材（１３）の他端部（１３ｂ）から補助片（１２）が取り外し可能に構成されている請求項６記載のフェイスマスク。
【請求項８】
包装袋（２）が、一方向に裂断可能な合成樹脂製フィルムで構成されている請求項１乃至７のいずれかに記載のフェイスマスク。
【発明の詳細な説明】
【技術分野】
【０００１】
本発明は、顔をパックするために使用するフェイスマスクに関するものである。
【背景技術】
【０００２】
顔をパックするために使用するフェイスマスクは、不織布、紙等の吸水性の高いシート体を素材とし、これに化粧液を含浸している。そして、フェイスマスクを顔に当てたときに、顔面に対するシート体の密着性を良くするために、シート体の目、鼻に対応する部分に切り込みを形成すると共に、外周部分に周方向に所定の間隔をおいて複数本の切り込みを放射状に形成し、さらに口に対応する部分に開口部を形成している。
【０００３】
このような化粧液を含浸させたシートは、顔全体を覆うものの場合は、折畳まずにそのまま包装しようとすると、包装体が平面的に大きく嵩張ったものとなり、携帯時、運搬等の流通時、或いは販売時等において不都合である。また、上述のようにシート体の目、鼻に対応する部分に切り込みを形成し、口に対応する部分に開口部を形成する等、切り込みや開口部が存在するために、広げたままの状態のフェイスマスクのシートを包装袋から引出そうとすると、損傷することがある。
【０００４】
このような嵩張りや損傷等の不都合を防止するため、ため、この種のパック用のフェイスマスクは、通常、シート体をその略中央で二つ折り状態に折り畳み、更にその二つ折り線の長手方向の複数箇所で順次内側に折り畳む等して、シート体を所定の大きさに折り畳んだ後、その状態で密封性を有する包装袋等に収納している。
【０００５】
しかし、含浸した化粧液のためにフェイスマスクのシートは湿潤状態であり、またシートが折り畳まれているので、折り畳まれて重なり合った湿潤状態のシートの部分が密着した状態となり、その結果、折り畳まれたフェイスマスクのシートを展開する作業を容易に行うことができないという問題が生じていた。そして、このような問題は、高粘度の化粧液を使用する場合には、より顕著となっていた。
【０００６】
このような問題を解決するために、たとえば下記特許文献１のような特許出願がなされている。この特許文献１にかかる発明は、周縁部に外方に突出した摘み部を少なくとも２つ有し、該摘み部がほぼ対向する位置に設けられていることを特徴とするものである。そして、使用時には、シート体を二つ折り状態まで拡げた後、一対の摘み部を把持して展開するようにしたものである。
【０００７】
しかし、フェイスマスクは不織布、紙等の吸水性の高いシート材を所定形状に切り抜いて形成し、シート体とその外方に突出する摘み部とが同一の素材で形成されているため、化粧液をシート体に含浸した湿潤状態では、摘み部にも化粧液が浸透して湿潤化し、その摘み部を形成する不織布等の素材の腰がなくなる。このため化粧液を含浸した状態のシート体を折り畳んで包装袋で包装する包装工程、又はシート体に化粧液を含浸させる含浸工程等において、シート体から外方に突出する摘み部が折り返されたり、内部に包み込まれたりするおそれがあり、包装工程、含浸工程の作業速度の高速化を図り難いという問題がある。
【０００８】
そこで、このような問題を解決するために、下記特許文献２のような特許出願もなされている。この特許文献２に係る発明は、上記のような摘み部を補強する合成樹脂製の補強フィルム等の補強材を設けたものである。
【０００９】
一方、上記特許文献１や特許文献２に係る発明のように、摘み部を設けることとは別の手段によって、フェイスマスクのシートを展開する作業を容易にするという上記課題を解決しようとする下記特許文献３のような特許出願もなされている。すなわち、この特許文献３に係る発明は、フェイスパックマスクの左領域は、縦の折り曲げ線で、中央領域の左半分の上面に内折りをした後に外折りをして折り畳み、右領域は、縦の折り曲げ線で、中央領域の右半分の上面に内折りをした後に外折りをして折り畳み、外折りの左端部と右端部とを内折りの外縁部よりも左右方向にそれぞれ突出させるとともに、この折り畳み後に、横の折り曲げ線で、２つ重ねで折り畳むことを特徴とするものである。
【００１０】
そして、使用時には、使用時に展開操作する際には、左領域の左端部と右領域の右端部とを使用者の左指と右指とでそれぞれ摘んで、左右方向に引っ張ると、上半分と下半分とが重なり合ったままで横方向に展開でき、その後、上半分を上に開くと、展開操作が完了するようになる。
【００１１】
しかしながら、上記特許文献１乃至特許文献３に係る発明は、摘み部を把持し、或いは内折りの外縁部よりも左右方向にそれぞれ突出する外折りの左端部と右端部とを把持してフェイスマスクの展開操作を行うものであるため、その展開操作時に把持し易い形態のフェイスマスクを提供するにすぎず、この種の化粧液等を含浸させたフェイスマスクの展開操作自体を容易にするという課題を根本的に解決するものではない。
【００１２】
すなわち、この種のフェイスマスクは、化粧液を含浸させたシートが折り畳まれて密着状態にされているのみならず、そのような密着状態に折り畳まれたシートが、さらに包装袋に収納されているので、そのような密着状態に折り畳まれたシートを展開する作業の前に、包装袋を開封する作業が必要となる。
【００１３】
すなわち、上記のような特許文献１乃至特許文献３の摘み部や突出する端部は、シートの左右両側に設けられており、左右両手で把持して展開作業を行うことになるので、包装袋を開封する作業を行った後、その包装袋から密着状態に折り畳まれたシートを一旦取り出し、その上で左右両手で把持して展開作業を行うことが必要となる。
【００１４】
従って、上記従来の特許文献１乃至特許文献３に開示されたフェイスマスクは、展開作業時のシートの把持し易さが改良されているだけであって、展開作業時そのものを容易にしているわけでは決してなかったのである。
【００１５】
【特許文献１】実用新案登録第３０７２０２７号公報
【特許文献２】特開２００６−２２３３７１号公報
【特許文献３】特開２００６−４２９８１号公報
【発明の開示】
【発明が解決しようとする課題】
【００１６】
本発明は、上述のような点に鑑みてなされたもので、化粧液を含浸させたフェイスマスクのシートが折り畳まれて密着状態にされて包装袋に収納されているにもかかわらず、包装袋を開封した後に、密着状態に折り畳まれたシートを展開する作業を従来に比べて著しく容易に行うことができるフェイスマスクを提供することを課題とする。
【課題を解決するための手段】
【００１７】
本発明は、上記のような課題を解決するためになされたもので、シート状のフェイスマスク本体が折り畳まれた状態で包装袋内に収容されて構成されたフェイスマスクにおいて、前記フェイスマスク本体の一端側が前記包装袋に固定して取り付けられ、前記フェイスマスク本体の他端側を前記包装袋の外側方向に引っ張ることによって、前記折り畳まれた状態のフェイスマスク本体が展開可能となるように構成されていることを特徴とするフェイスマスクを提供するものである。
【００１８】
フェイスマスク本体を包装袋の外側方向に引っ張る際に把持するための把持片を、前記フェイスマスク本体の他端側に設けることが望ましい。また、フェイスマスク本体の一端側を前記包装袋に固定して取り付ける手段としては、たとえばフェイスマスク本体の一端側にシール片を設け、該シール片を包装袋の表片又は裏片の少なくともいずれか一方にシールする手段が採用される。その場合、フェイスマスク本体のマスク主部が、ミシン目を介してシール片に分断可能に連設されていることが望ましい。さらに、この場合において、フェイスマスク本体のマスク主部が、包装袋の外側に引き出された際に、ミシン目が前記包装袋の外側に裸出しうるように構成されていることが望ましい。
【００１９】
また、フェイスマスク本体の一端側に紐材を設け、該紐材の一端部を、包装袋の表片と裏片とがシールされているシール部において該表片と裏片間に挟着する手段を採用することも可能である。その場合、フェイスマスク本体のマスク主部に補助片を介して該紐材の他端部が取り付けられ、フェイスマスク本体の他端側を包装袋の外側に引き抜く際に、該紐材の他端部から補助片が取り外し可能に構成されていることが望ましい。さらに、包装袋は、一方向に裂断可能な合成樹脂製フィルムで構成されていることが望ましい。
【発明の効果】
【００２０】
本発明は、上述のように、シート状のフェイスマスク本体が折り畳まれた状態で包装袋内に収容されて構成されたフェイスマスクにおいて、前記フェイスマスク本体の一端側が前記包装袋に固定して取り付けられているので、包装袋を開封した状態で、前記フェイスマスク本体の他端側を把持して包装袋の外側方向に引っ張ると、折り畳まれた状態で包装袋内に収納されていたフェイスマスク本体の一端側が固定された状態のまま、他端側のみが包装袋の外側方向に引っ張られるので、折り畳まれていたフェイスマスク本体が容易に展開された状態となる。
【００２１】
このように、フェイスマスク本体の一端側が包装袋に固定して取り付けられているので、従来のように、包装袋を開封した後、一旦フェイスマスク本体を取り出した上で、フェイスマスク本体の両端側を両手で把持して展開するという、３つの過程を経た煩雑な操作が不要となり、包装袋の開封作業の直後にそのままフェイスマスク本体の他端側を把持して包装袋の外側方向に引っ張ることで、包装袋の開封からフェイスマスク本体の展開に至るまでの一連の作業を、２つの過程のみで速やかに行うことができ、フェイスマスクを展開させるための作業を従来に比べて著しく容易に行うことができるという効果がある。
【発明を実施するための最良の形態】
【００２２】
以下、本発明の実施形態について、図面に従って説明する。
（実施形態１）
図１は一実施形態のフェイスマスクの平面図、図２は図１のＡ−Ａ線拡大断面図、図３は包装袋の表片を取り外して包装袋の内部を図示した状態の概略平面図である。本実施形態のフェイスマスクは、図１乃至図３に示すように、フェイスマスク本体１と、該フェイスマスク本体１が収容される包装袋２とからなるものである。
【００２３】
フェイスマスク本体１は、不織布、紙等の吸水性を有するシート状のもので、化粧液が含浸されている。このフェイスマスク本体１は、図１乃至図３に示すように、アコーディオン状に折り畳まれた状態で前記包装袋２に収容されている。
【００２４】
包装袋２は、表片２ａが、ポリエステルフィルムと、一軸延伸ポリプロピレンフィルムのような一方向に裂断可能な合成樹脂製フィルムと、ポリエチレンフィルムとを積層した複層フィルムで構成され、裏片２ｂが、ポリエステルフィルム、一軸延伸ポリプロピレンフィルムのような一方向に裂断可能な合成樹脂製フィルムと、アルミニウム箔と、ポリエチレンフィルムとを積層した複層フィルムで構成され、図１及び図２に示すように、四方の周縁部のシール部３によって、前記表片２ａと裏片２ｂとがシールされている。そして、四方周縁部のシール部３のうち、一辺側のシール部３に、図１に示すように切込部４が形成され、該切込部４を起点として前記包装袋２が開封可能に構成されている。包装袋２は、図１に示すように全体が平面略長方形状に形成されている。
【００２５】
フェイスマスク本体１は、図１乃至図３に示すように、顔面に当接するためのマスク主部５と、フェイスマスク本体１を前記包装袋２にシールして止着すべく前記マスク主部５の一端側に延長して形成されたシール片６と、折り畳まれた状態のフェイスマスク本体１を展開して前記包装袋２から取り出す際の把持部分とすべく、前記マスク主部３の他端側に延長して形成された把持片７とで構成されている。
【００２６】
フェイスマスク本体１のマスク主部５は、図４に示すように全体が略円形状に形成され、顔面の略全体を覆う大きさを有している。そして、顔の目、口に対応する部分に開口部１０が形成され、鼻に対応する部分に切込部１０ｂが形成されている。また、図１及び図２に示すように、複数箇所（本実施形態では２箇所）に折込部１１が形成され、この２箇所の折込部１１によってフェイスマスク本体１が３つ折り状態に折り畳まれている。
【００２７】
シール片６は比較的幅広に形成され、図３に示すように、包装袋２の裏片２ｂに、２箇所のポイントシール部８、８によって熱溶着や超音波溶着等の手段でシールされている。このようなポイントシール部８、８でのシールによって、シール片６が包装袋２の裏片２ｂに固定して取り付けられている。このシール片６とマスク主部５との境界部分には、該
マスク主部５をシール片６から切り取るためのミシン目９が形成されている。
【００２８】
把持片７は、前記シール片６に比べて細く形成されている。これは、固定端側のシール片６が、上述のように２箇所のポイントシール部８、８で包装袋２にシールされることから、一定の幅が必要とされるのに対し、自由端側の把持片７は、そのようなシールがされないので幅広に形成する必要がないばかりか、フェイスマスク本体１を展開させる際の把持部分として機能させるためには、細く形成されている方が把持し易い等の利便があるからである。
【００２９】
本実施形態のフェイスマスクは、上記のような構成からなり、このフェイスマスクを使用する場合には、先ず前記切込部４を起点として包装袋２を開封する。この場合において、包装袋２の表片２ａと裏片２ｂには、ともに一軸延伸ポリプロピレンフィルムのような一方向に裂断可能な合成樹脂製フィルムが具備されているため、上記のように切込部４を起点として包装袋２を開封する際に、切込部４と同方向（縦方向）にほぼ真っ直ぐな状態で包装袋２を構成するフィルムを裂断させることができ、包装袋２の開封作業を容易に行うことができる。
またフェイスマスク本体１は、そのシール片６によって包装袋２に固定されている固定端側が、包装袋２が開封される側と反対側に位置し、フェイスマスク本体１を展開させる際の把持部分となる把持片７が設けられている自由端側が、包装袋２が開封される側に位置するように、前記フェイスマスク本体１が包装袋２内に収容されているため、使用者は、包装袋２を開封した直後に直ちに把持片７を把持することができる。
【００３０】
このように、把持片７を把持して図４の矢印方向に引っ張ると、折り畳まれていたフェイスマスク本体１は、同図のように展開された状態となる。この場合において、フェイスマスク本体１の一端側にはシール片６が設けられ、該シール片６が包装袋２の裏片２ｂにポイントシール部８、８によってシールされ、該シール片６が包装袋２の裏片２ｂに固定して取り付けられることで、フェイスマスク本体１の一端側が固定端とされ、把持片７が設けられたフェイスマスク本体１の他端側は固定されていない自由端として形成されているので、上記のように把持片７を把持して矢印方向に引っ張ると、フェイスマスク本体の一端側がシール片６を介して固定された状態のまま、把持片７を把持して引っ張られるフェイスマスク本体１の他端側のみが速やかに引き出され、折り畳まれた状態で包装袋内に収納されていたフェイスマスク本体１が速やかに且つ容易に展開された状態となる。
【００３１】
このようにして、フェイスマスク本体１が展開された状態で、さらに把持片７を把持して引っ張ると、その張力がフェイスマスク本体１の固定端側に作用する。フェイスマスク本体１の固定端側においては、シール片６が包装袋２の裏片２ｂにポイントシール部８、８を介してシールされることで固定して取り付けられているので、そのシール片６は包装袋２の裏片２ｂから不用意に離脱することがない。
【００３２】
従って、フェイスマスク本体１が展開された後に把持片７を引っ張った際の張力は、シール片６とマスク主部５との境界部分に形成されたミシン目９に作用する。この結果、フェイスマスク本体１のマスク主部５は、図５に示すように、ミシン目９を介してシール片６から分断されることとなる。
【００３３】
分断されたフェイスマスク本体１のマスク主部５は、包装袋２から取り外されたことになるので、顔に当接することによって、フェイスマスクとしての使用が可能となる。
【００３４】
本実施形態においては、上述のようにフェイスマスク本体１の一端がシール片４を介して包装袋２にシールされて固定端とされ、フェイスマスク本体１の他端は把持片７が設けられた自由端として形成されているので、フェイスマスク本体１に化粧液が含浸され且つ折り畳まれて、折り畳まれたフェイスマスク本体１の重ね合わせ面が、含浸された化粧液によって密着状態となっているにもかかわらず、一端側が固定端とされたフェイスマスク本体１の他端側の自由端を、把持片７を把持して引っ張ることによって、密着状態となって折り畳まれているフェイスマスク本体１を容易に展開することができるのである。
【００３５】
従って、その展開後にフェイスマスク本体１のマスク主部５をミシン目９を介してシール片６から分断する作業も、該シール片６が包装袋２にシールされることで、フェイスマスク本体１の一端側が不用意に離脱することのない固定端とされているので、フェイスマスク本体１の展開後に把持片７を引っ張ることによって生じる張力が、シール片６とマスク主部５との境界部分であるミシン目９の部分に確実に作用することとなり、その結果、マスク主部５をシール片６から容易且つ確実に分断させることができる。
【００３６】
（実施形態２）
本実施形態は、フェイスマスクの他の実施形態である。図６は一実施形態のフェイスマスクの平面図、図７は図１のＢ−Ｂ線拡大断面図、図８は包装袋の表片を取り外して包装袋の内部を図示した状態の概略平面図である。
【００３７】
本実施形態では、フェイスマスク本体１のシール片６が包装袋２の表片２ａ側に取り付けられており、この点で、包装袋２の裏片２ｂ側にシール片６が取り付けられていた上記実施形態１と相違する。
【００３８】
また本実施形態では、シール片６と把持片７とが略同幅に形成されており、シール片６が１箇所のポイントシール部８でシールされている。この点で、シール片６が把持片７に比べて幅広に形成され、且つ該シール片６が２箇所のポイントシール部８でシールされていた実施形態１と相違する。
【００３９】
これらの相違から、本実施形態では、フェイスマスク本体１の折り畳みの態様が上記実施形態１と相違している。また本実施形態では、包装袋２が、実施形態１に比べてより細長い平面略長方形状に形成されている。
【００４０】
フェイスマスク本体１と、包装袋２とでフェイスマスクが構成されている点、フェイスマスク本体１が、不織布、紙等の吸水性を有するシート状のもので、化粧液が含浸されている点、アコーディオン状に折り畳まれて包装袋２に収容されている点、フェイスマスク本体１が、マスク主部５と、シール片６と、把持片７とで構成されている点、フェイスマスク本体１のマスク主部５が略円形状に形成され、顔面の略全体を覆う大きさを有している点、顔の目、口に対応する部分に開口部１０が形成され、鼻に対応する部分に切込部１０ｂが形成されている点、シール片６とマスク主部５との境界部分にミシン目９が形成されている点等は、上記実施形態１と共通する。
【００４１】
ただし、マスク主部５がミシン目９を介してシール片６に直接連設されているのではなく、補助片１２を介して間接的に連設されており、この点で直接的に連設されていた実施形態１の場合と相違する。
【００４２】
さらに、包装袋２の表片２ａがポリエステルフィルム、一方向に裂断可能な合成樹脂製フィルム、ポリエチレンフィルムを積層した複層フィルムで構成され、裏片２ｂがポリエステルフィルム、一方向に裂断可能な合成樹脂製フィルム、アルミニウム箔、ポリエチレンフィルムを積層した複層フィルムで構成されている点、四方の周縁部のシール部３によって、表片２ａと裏片２ｂとがシールされている点、四方周縁部のシール部３のうち一辺側のシール部３に開封起点となる切込部４が形成されている点等も実施形態１と共通する。
【００４３】
本実施形態のフェイスマスクも、切込部４を起点として包装袋２を開封し、図９に示すように、把持片７を把持して同図の矢印方向に引っ張ることによって、折り畳まれていたフェイスマスク本体１が、同図のように展開された状態となる。
【００４４】
本実施形態では、そのシール片６によって包装袋２の表片２ａ側にシールされて固定されている固定端側が、把持片７が設けられている自由端側と、平面視においては略同じ位置にあり、この点で、反対側に位置していた実施形態と相違している。
【００４５】
しかしながら、図９に示すように、シール片６はポイントシール部８の位置でシールされて包装袋２の表片２ａ側に固定されているので、把持片７を把持して同図のようにマスク主部５を包装袋２の外側に引き出すことによって、把持片７の位置は包装袋２の外側に向かって容易に移動させることができ、その反面、ポイントシール部８の位置でシールされているシール片６は、固定されてその位置が不動であるので、把持片７を把持しマスク主部５を包装袋２の外側に移動させることで、フェイスマスク本体１を容易に展開状態とすることができるのである。
【００４６】
本実施形態においても、フェイスマスク本体１を展開させた後、図１０に示すようにさらに把持片７を引っ張ることによって、把持片７を引っ張る際の張力を、シール片６と補助片１２との境界部分に形成されたミシン目９に作用させることができ、フェイスマスク本体１のマスク主部５が、同図のように、ミシン目９を介してシール片６から分断されることとなる。
【００４７】
本実施形態においても、フェイスマスク本体１の一端がシール片６を介して包装袋２にシールされて固定端とされ、フェイスマスク本体１の他端は把持片７が設けられた自由端として形成されているので、フェイスマスク本体１に化粧液が含浸され且つ折り畳まれて、折り畳まれたフェイスマスク本体１の重ね合わせ面が、含浸された化粧液によって密着状態となっているにもかかわらず、一端側が固定端とされたフェイスマスク本体１の他端側の自由端を、把持片７を把持して引っ張ることによって、密着状態となって折り畳まれているフェイスマスク本体１を容易に展開することができる。
【００４８】
また、展開後にフェイスマスク本体１のマスク主部５をミシン目９を介してシール片６から分断する作業も、該シール片６が包装袋２にシールされて不用意に離脱することのない固定端とされているので、フェイスマスク本体１の展開後に把持片７を引っ張ることによって生じる張力が、シール片６とマスク主部５との境界部分であるミシン目９の部分に確実に作用することとなり、マスク主部５をシール片６から容易且つ確実に分断させることができるのである。
さらに、図９に示すように、折り畳まれていたフェイスマスク本体１を展開させ、マスク主部５を包装袋２から引き抜いた状態において、ミシン目９は包装袋２の外側に裸出した状態となっているので、ミシン目９が破壊されてシール片６とマスク主部５（補助片１２）とが分断される状態を目視で確認することができ、従って、その分断時に必要な引っ張り力を、分断状態の目視と、把持片７を把持する手に伝達される力の程度によって容易に判断することができるのである。
【００４９】
（実施形態３）
本実施形態は、フェイスマスクのさらに他の実施形態である。図１１はその実施形態の包装袋の表片を取り外して包装袋の内部を図示した状態の概略平面図である。
【００５０】
本実施形態では、図１１に示すように、マスク主部５に補助片１２を介して紐材１３が取り付けられており、その紐材１３の一端１３ａ側を包装袋２のシール部３に取り付けることによって、その紐材１３のシール部３への取り付け位置が固定端とされている。
【００５１】
より具体的には、図１１には示されていないが、紐材１３の一端１３ａが、包装袋２の表片２ａと裏片２ｂのシール部３の位置において、該表片２ａと裏片２ｂとの間で挟持された状態となっており、その表片２ａと裏片２ｂとがシールされる際に、挟持された紐材１３の一端１３ａが同時に表片２ａと裏片２ｂ間で固着された状態となっているのである。
【００５２】
紐材１３の他端１３ｂは、図１１に示すように、補助片１２に穿設された孔１４に挿通されることによって該補助片１２に取り付けられている。この場合、たとえば図１４に示すように紐材１３の他端１３ｂを略Ｔ字状に形成し、その他端１３ｂが孔１４から抜け出るのを禁止しうるような状態で取り付けることが可能であり、また図１５に示すように、孔１４に挿通させた紐材１３の他端１３ｂを結着するようにして取り付けることが可能であり、いずれにしても紐材１３を補助片１２に取り付ける手段は問わない。
【００５３】
このように紐材１３を介してフェイスマスク本体１が包装袋２に取り付けられている点で、紐材ではなく、シール片６を介してフェイスマスク本体１が包装袋２に取り付けられていた上記実施形態１及び実施形態２と相違する。
【００５４】
フェイスマスク本体１と、包装袋２とでフェイスマスクが構成されている点、フェイスマスク本体１が、不織布、紙等の吸水性を有するシート状のもので、化粧液が含浸されている点、アコーディオン状に折り畳まれて包装袋２に収容されている点、フェイスマスク本体１のマスク主部５が略円形状に形成され、顔面の略全体を覆う大きさを有している点、顔の目、口に対応する部分に開口部１０が形成され、鼻に対応する部分に切込部１０ｂが形成されている点等は、上記実施形態１と共通する。
【００５５】
さらに、包装袋２の表片２ａがポリエステルフィルム、一方向に裂断可能な合成樹脂製フィルム、ポリエチレンフィルムを積層した複層フィルムで構成され、裏片２ｂがポリエステルフィルム、一方向に裂断可能な合成樹脂製フィルム、アルミニウム箔、ポリエチレンフィルムを積層した複層フィルムで構成されている点、四方の周縁部のシール部３によって、表片２ａと裏片２ｂとがシールされている点、四方周縁部のシール部３のうち一辺側のシール部３に開封起点となる切込部４が形成されている点等も実施形態１と共通する。
【００５６】
本実施形態のフェイスマスクも、切込部４を起点として包装袋２を開封し、図１２に示すように、把持片７を把持して同図の矢印方向に引っ張ることによって、折り畳まれていたフェイスマスク本体１が、同図のように展開された状態となる。
【００５７】
本実施形態では、フェイスマスク本体１の一端側に補助片１２を介して紐材１３が取り付けられ、該紐材１３の一端１３ａが包装袋２の表片２ａと裏片２ｂとのシール部３において、該表片２ａと裏片２ｂ間に挟持された状態で取り付けられており、その点で、表片２ａと裏片２ｂとのいずれかにシール片６を介してシールされていた実施形態１及び実施形態２と相違している。
【００５８】
しかしながら、紐材１３の一端１３ａが、表片２ａと裏片２ｂ間のシール部３において挟持された状態で固定されているので、把持片７を把持して図１２のようにマスク主部５を包装袋２の外側に引き出すことによって、把持片７をマスク主部５とともに包装袋２の外側に向かって容易に引き出すことができ、フェイスマスク本体１を容易に展開状態とすることができるのである。
【００５９】
また本実施形態においても、フェイスマスク本体１を展開させた後、図１３に示すようにさらに把持片７を引っ張ることによって、把持片７を引っ張る際の張力を、紐材１３の補助片１２への取り付け部分である孔１４の部分に好適に作用させることができ、フェイスマスク本体１のマスク主部５から紐材１３が外れることとなる。
【００６０】
本実施形態においても、フェイスマスク本体１の一端が包装袋２に取り付けられて固定端とされ、フェイスマスク本体１の他端は把持片７が設けられた自由端として形成されているので、フェイスマスク本体１に化粧液が含浸され且つ折り畳まれて、折り畳まれたフェイスマスク本体１の重ね合わせ面が、含浸された化粧液によって密着状態となっているにもかかわらず、一端側が固定端とされたフェイスマスク本体１の他端側の自由端を、把持片７を把持して引っ張ることによって、密着状態となって折り畳まれているフェイスマスク本体１を容易に展開することができる。
【００６１】
また、展開後にフェイスマスク本体１のマスク主部５を紐材１３から外す作業も、該紐材１３の他端１３ｂが包装袋２のシール部３から不用意に離脱することのない固定端とされているので、フェイスマスク本体１の展開後に把持片７を引っ張ることによって生じる張力が、紐材１３とマスク主部５との取り付け部分である孔１４の部分に確実に作用することとなり、マスク主部５を紐材１３を容易且つ確実に取り外すことができるのである。
【００６２】
（実施形態４）
本実施形態は、フェイスマスクのさらに他の実施形態である。図１６はその実施形態の包装袋の表片を取り外して包装袋の内部を図示した状態の概略平面図である。
【００６３】
本実施形態では、フェイスマスク本体１のシール片６が、Ｕターンするように横向きに折り返された状態に形成されており、この点で、シール片６が真っ直ぐに形成されていた上記実施形態１及び実施形態２と相違する。
【００６４】
また本実施形態では、シール片６と把持片７とが略同幅に形成されており、シール片６が１箇所のポイントシール部８でシールされている。この点で、実施形態２と共通するとともに、実施形態１と相違している。
【００６５】
フェイスマスク本体１の折り畳みの態様は上記実施形態１とほぼ同じである。また、包装袋２が平面略長方形状に形成されている点でも実施形態１と共通している。
【００６６】
フェイスマスク本体１と、包装袋２とでフェイスマスクが構成されている点、フェイスマスク本体１が、不織布、紙等の吸水性を有するシート状のもので、化粧液が含浸されている点、アコーディオン状に折り畳まれて包装袋２に収容されている点、フェイスマスク本体１が、マスク主部５と、シール片６と、把持片７とで構成されている点、フェイスマスク本体１のマスク主部５が略円形状に形成され、顔面の略全体を覆う大きさを有している点、顔の目、口に対応する部分に開口部１０が形成され、鼻に対応する部分に切込部１０ｂが形成されている点、シール片６とマスク主部５との境界部分にミシン目９が形成されている点、マスク主部５がミシン目９を介してシール片６に直接連設されている点等は、上記実施形態１と共通する。
【００６７】
さらに、包装袋２の表片２ａがポリエステルフィルム、一方向に裂断可能な合成樹脂製フィルム、ポリエチレンフィルムを積層した複層フィルムで構成され、裏片２ｂがポリエステルフィルム、一方向に裂断可能な合成樹脂製フィルム、アルミニウム箔、ポリエチレンフィルムを積層した複層フィルムで構成されている点、四方の周縁部のシール部３によって、表片２ａと裏片２ｂとがシールされている点、四方周縁部のシール部３のうち一辺側のシール部３に開封起点となる切込部４が形成されている点等も実施形態１と共通する。
【００６８】
本実施形態のフェイスマスクも、切込部４を起点として包装袋２を開封し、図１７に示すように、把持片７を把持して同図の矢印方向に引っ張ることによって、折り畳まれていたフェイスマスク本体１が、同図のように展開された状態となる。
【００６９】
本実施形態においても、シール片６はポイントシール部８の位置でシールされて包装袋２の裏片２ｂ側に固定されているので、把持片７を把持して同図のようにマスク主部５を包装袋２の外側方向に引っ張ることによって、フェイスマスク本体１を容易に展開状態とすることができるのである。
【００７０】
さらに、把持片７を矢印方向に引っ張ると、Ｕターンするように横向きに折り返されていたシール片６が、図１８に示すように伸ばされた状態となり、さらに把持片７を矢印方向に引っ張ると、把持片７を引っ張る際の張力を、シール片６とマスク主部５との境界部分に形成されたミシン目９に作用させることができ、図１９に示すようにマスク主部５が、同図のように、ミシン目９を介してシール片６から分断されることとなる。
【００７１】
本実施形態においても、フェイスマスク本体１の一端がシール片６を介して包装袋２にシールされて固定端とされ、フェイスマスク本体１の他端は把持片７が設けられた自由端として形成されているので、フェイスマスク本体１に化粧液が含浸され且つ折り畳まれて、折り畳まれたフェイスマスク本体１の重ね合わせ面が、含浸された化粧液によって密着状態となっているにもかかわらず、一端側が固定端とされたフェイスマスク本体１の他端側の自由端を、把持片７を把持して引っ張ることによって、密着状態となって折り畳まれているフェイスマスク本体１を容易に展開することができる。
【００７２】
また、展開後にフェイスマスク本体１のマスク主部５をミシン目９を介してシール片６から分断する作業も、該シール片６が包装袋２にシールされて不用意に離脱することのない固定端とされているので、フェイスマスク本体１の展開後に把持片７を引っ張ることによって生じる張力が、シール片６とマスク主部５との境界部分であるミシン目９の部分に確実に作用することとなり、マスク主部５をシール片６から容易且つ確実に分断させることができるのである。
【００７３】
（その他の実施形態）
尚、上記実施形態では、フェイスマスク本体１のマスク主部５が略円形状に形成されていたが、マスク主部５の形状は該実施形態に限定されるものではない。
【００７４】
また、上記実施形態１、２、４では、マスク主部５がシール片６を介して包装袋２に取り付けられ、実施形態３では、マスク主部５が紐材１３を介して包装袋２に取り付けられていたが、マスク主部５を包装袋２に取り付ける手段は、これらの実施形態に限定されるものではない。
【００７５】
さらに、上記実施形態では、包装袋２の表片２ａがポリエステルフィルム、一方向に裂断可能な合成樹脂製フィルム、ポリエチレンフィルムを積層した複層フィルムで構成され、裏片２ｂがポリエステルフィルム、一方向に裂断可能な合成樹脂製フィルム、アルミニウム箔、ポリエチレンフィルムを積層した複層フィルムで構成されていたが、包装袋２を構成する表片２ａや裏片２ｂの材質も該実施形態に限定されるものではない。
【００７６】
さらに、上記実施形態では、フェイスマスク本体１が、不織布、紙等の吸水性を有するシート状のもので構成されていたが、フェイスマスク本体１の素材も該実施形態に限定されるものではない。
【００７７】
さらに、上記実施形態では、フェイスマスク本体１に化粧液を含浸する場合について説明したが、フェイスマスク本体１に含浸させる液の種類も該実施形態に限定されるものではない。
【００７８】
さらに、上記実施形態では、包装袋２のシール部３に切込部４を形成し、その切込部４を起点として包装袋２を開封可能に構成したが、包装袋２の開封手段も該実施形態に限定されるものではない。
【００７９】
さらに、上記実施形態１では、シール片６を包装袋２にシールするポイントシール部８が２箇所に設けられ、実施形態２、４ではポイントシール部８が１箇所に設けられていたが、ポイントシール部８の数は該実施形態に限定されるものではなく、たとえば３箇所以上に設けられていてもよい。また、このようなポイントシール部８によるシールに限らず、たとえば線状にシールすることも可能である。
【００８０】
さらに、フェイスマスク本体１の一端側を包装袋２に固定して取り付ける手段も、上記実施形態のシールによる固定等に限定されるものではなく、その手段は問わない。
【図面の簡単な説明】
【００８１】
【図１】一実施形態のフェイスマスクの平面図。
【図２】図１のＡ−Ａ線概略拡大断面図。
【図３】包装袋の表片を取り外して包装袋の内部を図示した状態の概略平面図。
【図４】把持片を引っ張ってフェイスマスク本体を展開した状態を示す略平面図。
【図５】把持片をさらに引っ張ってマスク主部をシール片から分断した状態を示す概略平面図。
【図６】他の実施形態のフェイスマスクの平面図。
【図７】図６のＢ−Ｂ線概略拡大断面図。
【図８】包装袋の表片を取り外して包装袋の内部を図示した状態の概略平面図。
【図９】把持片を引っ張ってフェイスマスク本体を展開した状態を示す略平面図。
【図１０】把持片をさらに引っ張ってマスク主部をシール片から分断した状態を示す概略平面図。
【図１１】他実施形態のフェイスマスクの包装袋の表片を取り外して包装袋の内部を図示した状態の概略平面図。
【図１２】把持片を引っ張ってフェイスマスク本体を展開した状態を示す略平面図。
【図１３】把持片をさらに引っ張ってマスク主部を紐材から取り外した状態を示す概略平面図。
【図１４】マスク主部への紐材の取り付け状態の一例を示す部分拡大平面図。
【図１５】マスク主部への紐材の取り付け状態の他の例を示す部分拡大平面図。
【図１６】他実施形態のフェイスマスクの包装袋の表片を取り外して包装袋の内部を図示した状態の概略平面図。
【図１７】把持片を引っ張ってフェイスマスク本体を展開した状態を示す略平面図。
【図１８】把持片をさらに引っ張ってシール片を伸ばした状態を示す概略平面図。
【図１９】把持片をさらに引っ張ってマスク主部をシール片から分断した状態を示す概略平面図。
【符号の説明】
【００８２】
１  フェイスマスク本体
２  包装袋
３  シール部
５  マスク主部
６  シール片
７  把持片
９  ミシン目
１３  紐材
【図１】
2009189612.tif 000003
【図２】
2009189612.tif 000004
【図３】
2009189612.tif 000005
【図４】
2009189612.tif 000006
【図５】
2009189612.tif 000007
【図６】
2009189612.tif 000008
【図７】
2009189612.tif 000009
【図８】
2009189612.tif 000010
【図９】
2009189612.tif 000011
【図１０】
2009189612.tif 000012
【図１１】
2009189612.tif 000013
【図１２】
2009189612.tif 000014
【図１３】
2009189612.tif 000015
【図１４】
2009189612.tif 000016
【図１５】
2009189612.tif 000017
【図１６】
2009189612.tif 000018
【図１７】
2009189612.tif 000019
【図１８】
2009189612.tif 000020
【図１９】
2009189612.tif 000021